(57)【要約】      （修正有）【課題】施工性が良く、且つ、経済性、安全性、メインテナンス性に優れ、且つ、車両や船舶のみならず自転車、バイク、人等の進入防止に役立つ多目的ボラードを提供する。【解決手段】施工面に立設されるボラード本体２と、該ボラード本体２の中心軸部に螺着し、且つ、左又は右方向に回動させて上下移動可能に設け、且つ、キャップの外周両端部にチェーン係止用アイボルトＥＢをそれぞれ螺着して設けた上下伸縮移動キャップ部１から成り、且つ、ボラード本体２の上端面と上下伸縮移動キャップ部１の下端面の間にガードバーＧＢの安全柵を挟着する為のクランプ部Ｃを設けた。【選択図】図３
0003208896.tif 000002
【実用新案登録請求の範囲】
【請求項１】
道路や公園、広場等に設置して自動車や人の進入を阻止したり、又、岸壁に設置して船を繋留したりする多くの目的で設置されるボラードにおいて、施工面に立設されるボラード本体（２）と、該ボラード本体上端部の中心軸部に螺着し、且つ、左又は右方向に回動させて上下移動可能に設け、且つ、キャップの外周両端部にチェーン係止用アイボルト（ＥＢ）（ＥＢ）をそれぞれ螺着して設けた上下伸縮移動キャップ部（１）から成り、且つ、ボラード本体（２）の上端面と上下伸縮移動キャップ部（１）の下端面の間にガードバー（ＧＢ）等の安全柵を挟着する為のクランプ部（Ｃ）を設けたことを特徴とする多目的ボラード。
【請求項２】
ボラード本体（２）の下面部に施工調整用ゴム板を挟着し、アンカーボルト・ナットの締め付け調整により、施工時の取付精度を調整可能に設けたことを特徴とする請求項１記載の多目的ボラード。
【考案の詳細な説明】
【技術分野】
【０００１】
この考案は、道路や公園、広場等に設置して自動車や人の進入を阻止したり、又、岸壁に設置して船を繋留したりする目的で設置される多目的ボラードに関するものである。
【背景技術】
【０００２】
従来、自動車等の車両の進入を規制したり、その車両を誘導したりするため等に、道路や公園等の広場にボラードが設置され、これまでにもボラードとしては、要求される設置場所などに応じて、様々な形式のものが提案されている。例えば、古い時代のボラードは、その全体が金属製のものや木製の物等、硬い材料を使用して形成されたものが多かった。しかし、近年のボラードは、一定の硬い材料で形成された芯材に対して、クッション性を有するクッション材を外嵌固定した衝撃吸収型のものが提案されている。この衝撃吸収型ボラードは、万が一、それに車両や人等が衝突した場合、車両や人が受ける衝撃を和らげることが出来るように成っている。
【０００３】
又、これまでのボラードは一定の間隔を空けて設置され、又、チェーンやガードバーを係止するところが無い為、自転車や人等の進入に対しては、役に立たなかった。
【０００４】
又、これまでのボラードは、ボラード本体を地中に埋設していた為、特殊な機械や工具を必要とし、施工時間が掛かり、経済性、安全性、メインテナンス性面から見ても有益とは言えなかった。
【０００５】
従って、本考案は施工性が良く、且つ、経済性、安全性、メインテナンス性に優れ、且つ、車両や船舶のみならす自転車、バイク、人等の進入防止に役立つ多目的ボラードの早期開発・提供が望まれている。
【先行技術文献】
【特許文献】
【０００６】
【特許文献１】特開２０１４−１５９６９５
【特許文献２】特開２０１４−３３９７４３
【特許文献３】特開平０８−０８１９２２
【特許文献４】特開平０８−０８１９２５
【考案の開示】
【考案が解決しようとする課題】
【０００７】
そこで、上記課題を解決する為に、本考案は施工性が良く、且つ、経済性、安全性、メインテナンス性に優れ、且つ、車両や船舶のみならす自転車、バイク、人等の進入防止にも役立つ多目的ボラードを早期開発・提供する事にある。
【課題を解決するための手段】
【０００８】
この課題を解決するための手段として、道路や公園、広場等に設置して自動車や人の進入を阻止したり、又、岸壁に設置して船を繋留したりする多くの目的で設置されるボラードにおいて、施工面に立設されるボラード本体と、該ボラード本体上端部の中心軸部に螺着し、且つ、左又は右方向に回動させて上下移動可能に設け、且つ、キャップの外周両端部にチェーン係止用アイボルトをそれぞれ螺着して設けた上下伸縮移動キャップ部から成り、且つ、ボラード本体の上端面と上下伸縮移動キャップ部の下端面の間にガードバー等の安全柵を挟着する為のクランプ部を設けたものである。
【０００９】
ボラード本体の下面部に施工調整用ゴム板を挟着し、アンカーボルト・ナットの締め付け調整により、施工時の取付精度を調整可能に設けたものである。
【考案の効果】
【００１０】
この考案の効果として、支柱本体中心軸部に上下伸縮移動キャップを螺着し、且つ、キャップの中心部に設けた上下伸縮移動スクリュウを支軸にして左又は右方向に回動させて上下移動可能に設け、且つ、支柱本体上部に設けたフランジ板部にガードバー固定用穴を左右両端部に設け、且つ、キャップの左右下端部にアイボルト等のチェーン係止部を設けたことで支柱と支柱間にチェーン及びガードバーを懸架可能に設け、且つ、支柱本体下面部にゴム板を敷設し、アンカーボルト・ナット等の係止部材で固着することで、施工時の支柱の傾きを調整可能にすることで、精度良く垂直に支柱を立てることが出来る等、極めて有益なる効果を奏するものである。
【図面の簡単な説明】
【００１１】
【図１】この考案の一実施例であって、（Ａ）はクランプ部開放時における多目的中間支柱の平面図で、（Ｂ）は正面図である。
【図２】この考案の一実施例であって、（Ａ）はクランプ部閉塞時における多目的中間支柱の平面図で、（Ｂ）は右側面図である。
【図３】この考案の一実施例であって、中間支柱のクランプ部にガードバーの係止状況を示す（Ａ）は図３（Ｂ）のａ−ａ矢視断面図で、（Ｂ）は一部欠截正面図である。
【図４】この考案の使用例であって、チェーン使用時の多目的ボラード全体図を示す。
【図５】この考案の使用例であって、ガードバー使用時の多目的ボラード全体図を示す。
【考案を実施するための形態】
【００１２】
この考案を実施するための形態として、多目的ボラードは使用範囲が広く、船舶の繋留用としても使用する為、錆びに強い材質を使用し、且つ、耐久性に優れ、変形し難い形状・構造で、且つ、誰もが容易に短時間で着脱可能で経済性の良いものにする必要がある。
【実施例１】
【００１３】
この考案の一実施例を図１〜図３に基づいて詳述すると、道路や公園、広場等に設置して自動車や人の進入を阻止したり、又、岸壁に設置して船を繋留したりする多くの目的で設置されるボラードにおいて、施工面に立設されるボラード本体（２）と、該ボラード本体上端部の中心軸部に螺着し、且つ、左又は右方向に回動させて上下移動可能に設け、且つ、キャップの外周両端部にチェーン係止用アイボルト（ＥＢ）（ＥＢ）をそれぞれ螺着して設けた上下伸縮移動キャップ部（１）から成り、且つ、ボラード本体（２）の上端面と上下伸縮移動キャップ部（１）の下端面の間にガードバー（ＧＢ）等の安全柵を挟着する為のクランプ部（Ｃ）を設けたことを特徴とする多目的ボラード。
【００１４】
又、ボラード本体（２）の下面部に施工調整用ゴム板を挟着し、アンカーボルト・ナットの締め付け調整により、施工時の取付精度を調整可能に設けたことを特徴とする多目的ボラードから構成される。
【００１５】
そこで、図１はボラード本体上部のキャップ部（１）を閉塞した状態図を示し、（Ａ）は平面図で、（Ｂ）は正面図である。
【００１６】
又、図２はボラード本体（２）上部のキャップ部（１）を開放し、ガードバーをクランプ部（Ｃ）に挟着した状態図を示し、（Ａ）は平面図で、（Ｂ）は右側面図である。
【００１７】
そして、図３（Ａ）（Ｂ）に示すように、一方のボラード本体（２）側は、長尺外筒（２ａ）と内筒（２ｄ）の二重構造に形成し、且つ、長尺外筒（２ａ）と内筒（２ｄ）間の上端部と下端部をフランジ板（２ｂ）（２ｃ）をそれぞれ設け、上端部側は複数のボルト・ナット等の係止部材で螺着し、下端部側は溶着して設けている。又、上端部のフランジ板円周部４か所にはガードバー（ＧＢ）を固着する為のガードバー固定用穴（２ｂ'）（２ｂ'）（２ｂ'）（２ｂ'）をそれぞれ設けている。
【００１８】
そして、前記内筒（２ｄ）の内側上端部にフランジ板（２ｅ）と中心部にスクリュウガイド用ソケット（２ｆ）をそれぞれ溶着して設けている。
【００１９】
又、他方側の上下伸縮移動キャップ（１）側は、キャップ（１ａ）と短尺外筒（１ｂ）を溶着し、且つ、短尺外筒（１ｂ）の内周上部に円形板（１ｃ）を溶着して設け、且つ、円形板中心軸部に上下伸縮移動用スクリュウ（１ｄ）を溶着し、且つ、該上下伸縮移動用スクリュウ（１ｄ）を、前記ボラード本体側のソケット（２ｆ）のネジ部に螺着し、且つ、キャップ部（１）を回動させることで、キャップ全体が上下移動するよう設けている。
【００２０】
又、前記ボラード本体の上端全周部に注意喚起用反射板（２ｇ）を貼付けして、目立ち易くして注意喚起と安全性の向上を図っている。
【産業上の利用可能性】
【００２１】
この考案の多目的ボラードは、使用範囲が広く、且つ、耐久性、安全性、メインテナンス性等に優れ、しかも外観的にも美観の良いもので、道路や公園、広場等に設置して自動車や人の進入を阻止したり、又、岸壁に設置して船を繋留したりする多くの目的で設置可能な為、多くの公共施設や海岸管理団体等に寄与する点で産業上の利用可能性を有する。
【符号の説明】
【００２２】
１  上下伸縮移動キャップ部
１ａ  キャップ
１ｂ  短尺外筒
１ｃ  円形板
１ｄ  上下伸縮移動用スクリュウ
２  ボラード本体
２ａ  長尺外筒
２ｂ  外筒上部フランジ板
２ｂ'  ガードバー固定用穴
２ｃ  外筒下部フランジ板
２ｃ'  転がり防止用ストッパー
２ｄ  内筒
２ｅ  内筒上部フランジ板
２ｆ  スクリュウガイド用ソケット
２ｇ  注意喚起用反射板
３  施工調整用ゴム板
１０  多目的ボラード
ＡＢ  アンカーボルト
Ｂ  ボルト
Ｃ  クランプ部
ＣＨ  チェーン（侵入防止用）
ＥＢ  アイボルト
ＧＢ  ガードバー（侵入防止用）
Ｎ  ナット
【図１】
0003208896.tif 000003
【図２】
0003208896.tif 000004
【図３】
0003208896.tif 000005
【図４】
0003208896.tif 000006
【図５】
0003208896.tif 000007